(57)【特許請求の範囲】
【請求項１】
上水道水を、水供給先に、流路を通じて輸送する送水ポンプと、
前記流路における前記送水ポンプよりも下流側に配設された濾過手段と、
前記流路における前記濾過手段よりも下流側に配設され、前記流路を開閉する流路開閉手段と、
前記濾過手段と前記流路開閉手段との間に介装された流路に配設されたアキュムレータと、
前記送水ポンプと前記濾過手段との間に介装された流路の水を流路外に排出することができる排出流路と、
前記排出流路による水の排出を阻止する排出阻止手段と、
前記流路を流通する水の流量を検出する流量検出手段と、
前記排出阻止手段により前記排出流路における水の排出を阻止し、前記流路開閉手段により前記流路を開き、前記送水ポンプを運転して、前記水供給先に水を供給することができるように、前記送水ポンプと、前記流路開閉手段と、前記排出阻止手段とを制御する給水モード、及び、予め定められた所定の時間帯において、前記流量検出手段により検出される検出流量値が所定の流量値を下回った場合に、前記送水ポンプを停止し、前記流路開閉手段により前記流路を閉じて、前記アキュムレータ内の水が、前記濾過手段内を逆流した後に前記排出流路により前記流路外に排出されるように、前記送水ポンプと、前記流路開閉手段と、前記排出阻止手段とを制御する逆洗モードを有する制御手段とを備えてなることを特徴とする給水装置。
【請求項２】
前記濾過手段が中空糸型モジュールを有してなる前記請求項１に記載の給水装置。
【請求項３】
前記流路に脱塩素手段を配設してなる前記請求項１又は２のいずれかに記載の給水装置。
【発明の詳細な説明】
【０００１】
【発明の属する技術分野】
本発明は、給水装置に関し、更に詳しくは、安全で美味しい水を供給することができる給水装置に関する。
【０００２】
【従来の技術と発明が解決しようとする課題】
従来、ビル等の建造物における給水システムは、通常、次のようになっているすなわち、上水道管から配送された上水を一旦貯留する受水槽と、この受水槽に貯留された水をその建造物中の各所に配水する配水管と、受水槽中の上水を配水管に送り出すポンプとを有する。この給水システムにおいては、建造物が例えば平屋ではなく複数階に渡る建物であるときには、受水槽から各階の所定部署へと配設された多くの配水管が存在する。この配管の末端には、多くの場合水道蛇口が結合されている。
【０００３】
このような給水システムにおいても、浄化処理により細菌の数が許容量以下に抑制された浄水が建造物における配水管の蛇口から排出されるように、維持管理されている。
【０００４】
しかしながら、蛇口から各部署に供給される水が衛生上支障のないようにされているとはいえ、殺菌剤であるカルキの匂いがしたり、あるいは殺菌された菌の残骸が混入したりすることがあるので、各部署における蛇口には、しばしば濾過装置が取りつけられる。そして、その濾過装置の維持管理は、例えばその蛇口を占有する各家庭あるいは事業所が実行することになる。
【０００５】
その結果、蛇口に取り付けられた濾過装置はその取り付け時期が蛇口ごとに異なることにより、その濾過装置の濾過性能が蛇口ごとに異なることから、蛇口から排出される水道水の品質が蛇口毎に異なるという問題を生じる。
【０００６】
又、蛇口を有する各家庭及び各事業所で行われる濾過装置の維持管理も各家庭及び各事業所毎に異なることになるから、場合によっては、濾過性能の低下した濾過装置を有する蛇口をそのまま無頓着に使用することにより、濾過装置を付設することにより浄化された水道水が供給されているとされつつ、実は品質の劣化した水道水が供給されているという問題、あるいは、濾過性能がさほど低下していないのに需要者が過敏過ぎて頻繁に不必要な程に濾過装置を交換するという問題がある。
【０００７】
また、蛇口毎に濾過装置を取り付けることの問題点として、以下のような事項が列挙される。すなわち、（１）濾過装置を取り付ける費用がかかる上、その取り付け作業が煩雑であるという問題、（２）濾過装置を取り付けた蛇口近傍において、例えば、前記蛇口が台所の流し台に設けられた蛇口である場合に、濾過装置が場所を取ることにより、台所での炊事作業の場所が狭くなってしまい炊事作業を円滑に行なうことができないという問題、（３）濾過装置の濾過フィルタを所定期間毎に交換しなければならないので、濾過フィルタを交換する費用がかかる上、濾過フィルタの交換作業が煩雑であるという問題、等があった。
【０００８】
特に前記（３）濾過フィルタの交換作業が煩雑であることにより、濾過フィルタを交換するべき所定期間が経過してもなお、前記濾過フィルタを交換せずに使用した場合においては、前記濾過フィルタが目詰まりを起こす等して円滑に水を供給できないばかりか、前記濾過フィルタに捕集された多量の異物が腐敗することにより、前記濾過フィルタ近傍の水をも腐敗させる恐れがあった。
【０００９】
本発明は、従来からの諸問題を解決することを目的とする。
【００１０】
本発明の目的は、各蛇口に濾過装置を装着しなくても、安全で美味しい水を供給することができる給水装置を提供することにある。
【００１１】
本発明の他の目的は、その構造が簡単であり、逆洗機能を備えた給水装置を提供することにある。
【００１２】
本発明の他の目的は、水供給先において水を使用しているか使用していないかを判断し、水を使用していない場合に濾過装置の洗浄を行なうことができる給水装置を提供することにある。
【００１３】
【課題を解決するための手段】
前記課題を解決するための第１の手段は、上水道水を、水供給先に、流路を通じて輸送する送水ポンプと、
前記流路における前記送水ポンプよりも下流側に配設された濾過手段と、
前記流路における前記濾過手段よりも下流側に配設され、前記流路を開閉する流路開閉手段と、
前記濾過手段と前記流路開閉手段との間に介装された流路に配設されたアキュムレータと、
前記送水ポンプと前記濾過手段との間に介装された流路の水を流路外に排出することができる排出流路と、
前記排出流路による水の排出を阻止する排出阻止手段と、
前記流路を流通する水の流量を検出する流量検出手段と、
前記排出阻止手段により前記排出流路における水の排出を阻止し、前記流路開閉手段により前記流路を開き、前記送水ポンプを運転して、前記水供給先に水を供給することができるように、前記送水ポンプと、前記流路開閉手段と、前記排出阻止手段とを制御する給水モード、及び、予め定められた所定の時間帯において、前記流量検出手段により検出される検出流量値が所定の流量値を下回った場合に、前記送水ポンプを停止し、前記流路開閉手段により前記流路を閉じて、前記アキュムレータ内の水が、前記濾過手段内を逆流した後に前記排出流路により前記流路外に排出されるように、前記送水ポンプと、前記流路開閉手段と、前記排出阻止手段とを制御する逆洗モードを有する制御手段とを備えてなることを特徴とする給水装置であり、
前記課題を解決するための第２の手段は、前記第１の手段における濾過手段が中空糸型モジュールを有してなる前記第１の手段の給水装置であり、
前記課題を解決するための第３の手段は、前記第１の手段における流路に脱塩素手段を配設してなる前記第１又は２の手段のいずれかの給水装置である。
【００１４】
【発明の実施の形態】
（一般的説明）
本発明の給水装置は、送水ポンプと、濾過手段と、流路開閉手段と、アキュムレータと、排出流路と、排出阻止手段と、流量検出手段と、制御手段とを備えてなる。
【００１５】
本発明における送水ポンプは、水供給先に流路を通じて上水道水を輸送する機能を有する限り特に限定されず、前記送水ポンプとしては、例えば、従来公知の給水ポンプを採用することができる。
【００１６】
この送水ポンプに供給される水、換言するとこの送水ポンプに吸引される水は上水道からの上水道水であっても良く、又上水道から供給された上水道水を貯留しておく受水槽から供給される上水道であっても良い。
【００１７】
この送水ポンプから吐出される水を供給する水供給先は、例えば工場内の各所、住居例えば低層集合住宅及び高層集合住宅等における各所、事業所例えば高層ビル等の各所である。
【００１８】
前記流路は、送水ポンプから前記水供給先にまで水を供給することのできる配水路例えば配管等を挙げることができる。
【００１９】
本発明における濾過手段は、前記流路における前記送水ポンプよりも下流側に配設され、前記送水ポンプのポンプ作用により前記流路を流通する水を濾過することのできる装置である。
【００２０】
前記濾過手段は、前記濾過手段に流入する水を全量濾過する全量濾過方式により水を濾過する機能を有し、全量濾過方式により水を濾過することにより、水中に存在する固形分例えば菌、菌の死骸、微生物、虫、固形有機物、固形無機物、鉄錆等の金属、塵埃等を除去する。
【００２１】
上記各種の固形分を除去するためにはその除去成分の種類に応じて前記濾過膜の種類が決定され、例えば、精密濾過膜、限界濾過膜、逆浸透膜等が採用される。前記限外濾過膜を採用する場合それに形成されている孔の大きさは、通常０．００２〜０．１μｍがである。精密濾過膜を採用する場合それに形成されている孔の大きさは、通常０．１〜１０μｍである。逆浸透膜を採用する場合それに形成されている孔の大きさは、通常０．００５μｍ以下である。したがって、既に述べたように、上水道水から除去しようとする除去成分の種類に応じて膜の種類が決定される。
【００２２】
また、前記濾過膜の膜素材は、濾過しようとする成分つまり除去成分の種類に応じて適宜に決定され、例えば、酢酸セルロース膜、ポリアクリロニトリル膜、ポリオレフィン膜、ポリスルホン膜、ポリイミド膜、ポリフッ化ビニリデン膜、ポリエーテルスルホン膜、ポリエステル系ポリマーアロイ膜、ＰＥＰＡ膜等が採用される。
【００２３】
これらの中でもＰＥＰＡ膜が好ましい。ＰＥＰＡ膜としては、例えば、ポリアリレート樹脂とポリエーテルスルホン樹脂とのポリエステル系ポリマーアロイ膜等を好適に採用することができ、液中の毒素を良く除去することができる。
【００２４】
前記濾過膜の形状としては、例えば、平板状の平膜、濾過膜をプリーツ状に折り曲げたプリーツ状の膜、管状の多孔質支持体に濾過膜を装着した管状の膜、スパイラル状の膜、中空繊維状の中空糸膜等を採用することができる。
【００２５】
本発明における濾過手段としては、複数の前記中空糸膜を束ねて形成された中空糸型モジュールを用いて、全量濾過方式により水を濾過するフィルター装置を好適に採用することができる。
【００２６】
本発明における流路開閉手段は、前記流路における前記濾過手段よりも下流側に配設され、前記流路を開閉することにより、前記流路を流通する水の流量を調節する機能を有する限り特に限定されず、前記流路開閉手段としては、例えば、従来公知の弁装置等を採用することができる。
【００２７】
本発明におけるアキュムレータは、前記濾過手段と前記流路開閉手段との間に介装された流路に配設され、アキュムレータ内の気体を圧縮して前記濾過手段により濾過された水を貯留する機能を有する限り特に限定されず、前記アキュムレータとしては、例えば、従来公知のアキュムレータタンク、蓄圧タンク等を採用することができる。
【００２８】
本発明における排出流路は、前記送水ポンプと前記濾過手段との間に介装された流路の水を流路外に排出することができる限り特に限定されない。
【００２９】
前記排出流路としては、例えば、前記送水ポンプと前記濾過手段との間に介装された流路から分岐する排出分岐流路、前記送水ポンプと前記濾過手段との間に介装された流路の水を前記濾過手段内から濾過手段外に排出することができる排水流路等を採用することができる。
【００３０】
本発明における排出阻止手段は、前記排出流路による水の排出を阻止することができる限り特に限定されない。
【００３１】
本発明における排出阻止手段としては、例えば、前記排出分岐流路に配設され、前記排出分岐流路を開閉する排出分岐流路開閉弁、前記排水流路に配設され、前記排水流路を開閉する排水流路開閉弁等を採用することができる。
【００３２】
本発明における流量検出手段は、前記流路を流通する水の流量を検出する機能を有する限り特に限定されず、前記流量検出手段としては、例えば、従来公知の流量計等を採用することができる。
【００３３】
本発明における制御手段は、前記水供給先に水を供給することができるように、前記送水ポンプと前記流路開閉手段と前記排出阻止手段とを制御する給水モードと、予め定められた所定の時間帯において前記アキュムレータ内の水が前記濾過手段内を逆流した後に前記排出流路により前記流路外に排出されるように、前記送水ポンプと前記流路開閉手段と前記排出阻止手段とを制御する逆洗モードとを有する。
【００３４】
前記制御手段は、予め定められた所定の時間帯において給水モード又は逆洗モードを選択することができるように形成され、予め定められた所定の時間帯以外においては給水モードに固定され、逆洗モードを選択することができないように形成されることができる。
【００３５】
前記制御手段において予め定められる所定の時間帯は、本発明の給水装置を使用する状況に応じて、所望の時間帯に決定することができる。
【００３６】
前記制御手段における制御動作方式としては、予め定められた所定の時間帯以外においてはその制御動作を給水モードに固定するプログラム制御方式が採用され、予め定められた所定の時間帯においてはその制御動作を前記流量検出手段により検出される検出流量値に基づく条件判断により給水モード又は逆洗モードに切り替える条件制御方式が採用されることができる。
【００３７】
この条件制御方式を採用することにより、予め定められた所定の時間帯において、水供給先に水を供給している最中に前記制御手段が給水モードから逆洗モードに切り替わることを防止することができる。
【００３８】
前記制御手段は予め定められた所定の時間帯において、前記流量検出手段により検出される検出流量値が所定の流量値を下回ったか否かを判断して、前記検出流量値が所定の流量値を下回った場合に給水モードから逆洗モードに切り替わるように前記送水ポンプと前記流路開閉手段と前記排出阻止手段とを制御することができる。
【００３９】
前記制御手段は、前記給水モードにおいて、前記排出阻止手段により前記排出流路における水の排出を阻止し、前記流路開閉手段により前記流路を開き、前記送水ポンプを運転して、前記水供給先に水を供給することができるように、前記送水ポンプと前記流路開閉手段と前記排出阻止手段とを制御し、前記逆洗モードにおいて、前記送水ポンプを停止し、前記流路開閉手段により前記流路を閉じて、前記アキュムレータ内の水が、前記濾過手段内を逆流した後に前記排出流路により前記流路外に排出されるように、前記送水ポンプと前記流路開閉手段と前記排出阻止手段とを制御することができる。
【００４０】
前記制御手段としては、例えば、シーケンス制御装置、ＣＰＵ等を採用することができる。
【００４１】
なお、この発明においては、前記送水ポンプと前記アキュムレータとを一体化してこれを給水ポンプユニットにしておくと、ビル等の建築物に水道水を増圧して供給することのできるコンパクトなユニットとすることができる。
【００４２】
（具体的説明）
以下、図面を用いて本発明を詳細に説明する。
【００４３】
図１に示すように、本発明に係る一実施例であるビル用給水装置１は、ビルに設けられた複数の蛇口等の水供給先（図示せず。）に管２を通じて水を供給する給水ポンプ３と、中空糸型フィルター４と、前記管２を開閉する管開閉弁５と、アキュムレータタンク６と、排出用分岐管７と、分岐管開閉弁８と、流量計９と、シーケンサ１０と、圧力計１１と、逆止弁１２とを有する。
【００４４】
この図１に示す実施例においては、前記給水ポンプ３が本発明における送水ポンプに相当し、前記中空糸型フィルター４が本発明における濾過手段に相当し、前記管開閉弁５が本発明における流路開閉手段に相当し、前記アキュムレータタンク６が本発明におけるアキュムレータに相当し、前記排出用分岐管７が本発明における排出流路に相当し、前記分岐管開閉弁８が本発明における排出阻止手段に相当し、前記流量計９が本発明における流量検出手段に相当し、前記シーケンサ１０が本発明における制御手段に相当する。
【００４５】
前記中空糸型フィルター４は、前記管２における前記給水ポンプ３よりも下流側に配設されてなる。
【００４６】
前記中空糸型フィルター４は、ＰＥＰＡ膜を用いたモジュールである。
【００４７】
前記管開閉弁５は、前記管２における前記中空糸型フィルター４よりも下流側に配設されてなる。
【００４８】
前記アキュムレータタンク６は、前記中空糸型フィルター４と前記管開閉弁５との間に介装された管２ａから分岐するアキュムレータ分岐管６ａに連通するように設けられてなる。
【００４９】
前記排出用分岐管７は、前記管２における前記給水ポンプ３と前記中空糸型フィルター４との間に介装された管２ｂから分岐し、前記管２ｂ中の水を前記管２ｂ外に排出することができるように形成されてなる。
【００５０】
前記分岐管開閉弁８は、前記排出用分岐管７に配設されてなり、前記排出用分岐管７を開閉することができるように形成されてなる。
【００５１】
前記流量計９は、前記管２ｂ中を流通する水の流量を検出することができるように形成されてなる。
【００５２】
前記圧力計１１は、前記管２ｂ中の圧力を検出することができるように形成されてなる。
【００５３】
前記シーケンサ１０は、前記給水ポンプ３、前記管開閉弁５、前記分岐管開閉弁８、前記流量計９、及び前記圧力計１１と、各々電気的に接続されてなる。
【００５４】
前記シーケンサ１０は、前記流量計９により検出される検出流量値を検出流量信号として入力し、前記圧力計１１により検出される検出圧力値を検出圧力信号として入力し、前記給水ポンプ３を運転するポンプ運転信号又は前記給水ポンプ３を停止するポンプ停止信号のいずれかのポンプ制御信号を出力することができ、前記管開閉弁５を開く管開信号又は前記管開閉弁５を閉じる管閉信号のいずれかの管開閉制御信号を出力することができ、前記分岐管開閉弁８を開く分岐管開信号又は前記分岐管開閉弁８を閉じる分岐管閉信号のいずれかの分岐管開閉制御信号を出力することができる。
【００５５】
前記シーケンサ１０は、分岐管閉信号、管開信号及びポンプ運転信号からなる給水制御信号を出力する給水モードと、ポンプ停止信号、管閉信号及び分岐管開信号からなる逆洗制御信号、又は、前記給水制御信号のいずれかを出力する逆洗モードとを有する。
【００５６】
前記シーケンサ１０は、前記給水モードで制御動作する給水時間帯と、前記逆洗モード又は前記給水モードで制御動作する逆洗時間帯とを予め設定することができる時間帯設定部（図示せず。）と、前記検出流量値の閾値を予め設定することができる流量閾値設定部（図示せず。）と、前記検出圧力値の閾値を予め設定することができる圧力閾値設定部（図示せず。）と、前記給水制御信号を出力することができる給水制御信号出力部（図示せず。）と、前記逆洗時間帯において前記検出流量値と流量閾値とを比較判断し、前記検出流量値が前記流量閾値を下回った場合に、前記逆洗制御信号を出力することができる逆洗制御信号出力部（図示せず。）と、前記逆洗制御信号出力部から前記逆洗制御信号が出力されている間に前記検出圧力値と圧力閾値とを比較判断し、前記検出圧力値が前記圧力閾値を下回った場合に、分岐管閉信号、管閉信号及びポンプ運転信号からなる圧力制御信号を出力することができる圧力制御信号出力部（図示せず。）と、前記逆洗時間帯において逆洗制御信号出力部が１回の逆洗制御信号を継続して出力する時間の長さ即ち１回の逆洗を行なう時間の長さを設定することができる逆洗時間設定部（図示せず。）と、前記逆洗時間帯において逆洗制御信号出力部が逆洗制御信号を出力する回数即ち逆洗を行なう回数を設定することができる逆洗回数設定部（図示せず。）とを有する。
【００５７】
前記時間帯設定部においては、給水する水中における被濾過物の種類、被濾過物の量等に応じた水質を考慮して、逆洗時間帯及び給水時間帯を適宜に設定することができ、例えば（イ）２４時間を１サイクルとして１サイクル中の３〜４時を逆洗時間帯として、０〜３時及び４〜２４時を給水時間帯として設定することができ、（ロ）４８時間を１サイクルとして１サイクル中の３〜４時を逆洗時間帯として、０〜３時及び４〜４８時を給水時間帯として設定することができ、（ハ）３３６時間（２週間）を１サイクルとして１サイクル中の３〜４時を逆洗時間帯として、０〜３時及び４〜３３６時を給水時間帯として設定することができる。この実施例では、前記逆洗時間帯を、統計的に上水道の使用頻度が低い３〜４時（午前３〜午前４時）の１時間に設定するのが好ましい。
【００５８】
前記逆洗時間設定部及び前記逆洗回数設定部においては、給水する水の水質、前記逆洗時間帯、前記アキュムレータタンク６の容量、前記中空糸型フィルター４における濾過面積及び濾過能力等を考慮して、１回の逆洗時間の長さ及び逆洗回数を設定するのが好ましい。
【００５９】
以下、本発明の一実施例であるビル用給水装置１の動作について詳細に説明する。
【００６０】
−初期設定−
前記流量閾値設定部では予め流量閾値が適宜の値に設定される。この流量閾値は、給水装置で給水しようとする施設例えば高層ビルあるいは工場等の規模に応じて決められる。
【００６１】
前記圧力閾値設定部では予め圧力閾値が適宜の値に設定される。この圧力閾値は、この給水装置で給水しようとする施設例えば高層ビルあるいは工場との規模に応じて決められる。
【００６２】
前記時間帯設定部では例えば２４時間を１サイクルとして１サイクル中の３〜４時を逆洗時間帯として、０〜３時及び４〜２４時を給水時間帯として設定される。
【００６３】
前記逆洗時間設定部では、１回の逆洗時間が濾過装置及びアキュムレータ等の規模に応じて適宜の値に決定された。
【００６４】
前記逆洗回数設定部においても、逆洗回数が濾過装置及びアキュムレータ等の規模に応じて適宜の値に決定された。
【００６５】
−給水時間帯−
前記給水時間帯においては、前記シーケンサ１０における前記給水制御信号出力部から、分岐管閉信号が分岐管開閉弁８に出力され、管開信号が管開閉弁５に出力され、ポンプ運転信号が給水ポンプ３に出力される。
【００６６】
前記給水ポンプ３のポンプ作用により、水道水原水（上水道水）が前記管２ｂ中を流通し、逆止弁を通過した後、前記中空糸型フィルター４内に流入し、前記水道水原水は前記中空糸型フィルター４における濾過膜（図示せず。）の濾過前面側から濾過後面側にその全量が流通することにより、効率良く濾過され、濾過水として前記管２ａ中に流入し、管開閉弁５を通過して水供給先に供給される。
【００６７】
また、前記管２ａ中に流入した濾過水の一部は、前記アキュムレータ分岐管６ａを通じて前記アキュムレータタンク６内に蓄圧される。このアキュムレータタンク６は、従来からビル用給水ポンプユニットに圧力バッファーとして使用されており、水供給先での蛇口の開閉による水中の圧力変動を吸収することができるので、水供給先での水の使用量が増加して前記管２中の圧力が低下した場合においても、この低下した圧力を速やかに回復させることができる。
【００６８】
前記給水時間帯においては、前記検出流量値が前記流量閾値を下回っても、前記シーケンサ１０における前記給水制御信号出力部から、分岐管閉信号が分岐管開閉弁７ｂに出力され、管開信号が管開閉弁５に出力され、ポンプ運転信号が給水ポンプ３に出力される。
【００６９】
−逆洗時間帯−
前記逆洗時間帯においては、前記シーケンサ１０における前記逆洗制御信号出力部が、前記検出流量値と流量閾値とを比較判断し、前記検出流量値が前記流量閾値を下回った場合に、ポンプ停止信号を給水ポンプ３に出力し、管閉信号を管開閉弁５に出力し、分岐管開信号を分岐管開閉弁８に出力する。
【００７０】
前記給水ポンプ３がポンプ停止信号により停止し、前記管開閉弁５が管閉信号により閉じ、前記分岐管開閉弁８が分岐管開信号により開くと、前記アキュムレータタンク６内に蓄圧されている濾過水の圧力により、この濾過水が前記アキュムレータタンク６から前記アキュムレータ分岐管６ａを流通して前記管２ａ内に流入する。前記管２ａ内に流入した濾過水は、前記中空糸型フィルター４における濾過膜の濾過後面側から濾過前面側に逆流して、前記管２ｂ内に流入する。濾過膜の濾過後面側から濾過前面側に濾過水が逆流すると、濾過膜に濾過されて捕捉されていた被濾過物が逆流する濾過水によって洗い流されて、濾過膜の洗浄が行なわれる。
【００７１】
逆流する濾過水と被濾過物とは、前記排出用分岐管７内に流入し、前記分岐管開閉弁８を通過して排出される。
【００７２】
前記逆洗時間設定部に設定された逆洗時間内においては、前記圧力制御信号出力部が、前記検出圧力値と圧力閾値とを比較判断し、前記検出圧力値が前記圧力閾値を下回った場合に、分岐管閉信号を分岐管開閉弁８に出力し、管閉信号を管開閉弁５に出力し、ポンプ運転信号を給水ポンプ３に出力する。
【００７３】
前記分岐管開閉弁８が分岐管閉信号により閉じ、前記管開閉弁５が管閉信号により閉じ、前記給水ポンプ３がポンプ運転信号により運転すると、前記給水ポンプ３のポンプ作用により、水道水原水が前記管２ｂ中を流通し、前記中空糸型フィルター４内に流入し、さらに前記中空糸型フィルター４を通過して濾過された濾過水は前記管２ａ中に流入し、前記アキュムレータ分岐管６ａを通じて前記前記アキュムレータタンク６内に蓄圧され、その結果、前記検出圧力値が上昇して前記圧力閾値を上回ることにより、前記圧力制御信号出力部は前記圧力制御信号の出力を停止する。
【００７４】
図２に示すように、本発明の他の一実施例である給水装置１３は、ビルに設けられた複数の蛇口等の水供給先（図示せず。）に管１４を通じて水を供給する給水ポンプ３と、中空糸型フィルター１５と、前記管１４を開閉する管開閉弁５と、アキュムレータタンク６と、排水流路１６と、排水流路開閉弁１７と、流量計９と、シーケンサ１０と、圧力計１１と、逆止弁１２とを有する。
【００７５】
この図２に示す実施例においては、前記給水ポンプ３が本発明における送水ポンプに相当し、前記中空糸型フィルター１５が本発明における濾過手段に相当し、前記管開閉弁５が本発明における流路開閉手段に相当し、前記アキュムレータタンク６が本発明におけるアキュムレータに相当し、前記排水流路１６が本発明における排出流路に相当し、前記排水流路開閉弁１７が本発明における排出阻止手段に相当し、前記流量計９が本発明における流量検出手段に相当し、前記シーケンサ１０が本発明における制御手段に相当する。
【００７６】
前記中空糸型フィルター１５は、そのケーシング内における水道水原水の流入ポートから、ケーシング外に連通する排水流路１６を備え、前記排水流路１６には排水流路開閉弁１７が配設されてなる。この中空糸型フィルター１５は、内部に１０，０００〜数１００，０００本の中空糸を束ねて装填している。
【００７７】
本発明においては、通常前記水道水原水中に０．５〜１．０ｐｐｍの濃度で存在する塩素を、その濃度が０．１〜０．４ｐｐｍの範囲内に調節することにより、カルキ臭が無くより美味しい水を得ることができる。
【００７８】
図３に示すように、本発明においては例えば、前記ビル用給水装置１における前記水供給先に通じる管２において、濾過水中の塩素を除去することができる脱塩素手段１８を配設することができる。
【００７９】
前記脱塩素手段１８は、濾過水中の塩素を除去する塩素除去フィルター１８ａと、前記塩素除去フィルター１８ａが配設され、濾過水中の塩素濃度を調節して水供給先に濾過水を供給することができる脱塩素流路１８ｂと、濾過水中の塩素を除去せずに水供給先に濾過水を供給することができるバイパス流路１８ｃと、前記バイパス流路１８ｃにおける濾過水の流通量を規制する流量規制弁１８ｄとを有してなる。
【００８０】
前記脱塩素手段１８においては、前記脱塩素流路１８ｂと前記バイパス流路１８ｃとを合流させた場合に、合流した濾過水中の塩素濃度が０．１〜０．４ｐｐｍの範囲内になるように前記流量規制弁１８ｄが調整されてなる。
【００８１】
また、図４に示すように、本発明においては前記ビル用給水装置１における前記水供給先に通じる管２において、水道水原水中の塩素を除去することができる脱塩素手段１９を配設することができる。
【００８２】
前記脱塩素手段１９は、水道水原水中の塩素を除去する塩素除去フィルター１９ａと、前記塩素除去フィルター１９ａを配設し、水道水原水中の塩素濃度を調節して前記中空糸型フィルターに水道水原水を供給することができる脱塩素流路１９ｂと、水道水原水中の塩素を除去せずに前記中空糸型フィルターに水道水原水を供給することができるバイパス流路１９ｃと、前記バイパス流路１９ｃにおける水道水原水の流通量を規制する流量規制弁１９ｄとを有してなる。
【００８３】
前記脱塩素手段１９においては、前記脱塩素流路１９ｂと前記バイパス流路１９ｃとを合流させた場合に、合流した水道水原水中の塩素濃度が０．１〜０．４ｐｐｍの範囲内になるように前記流量規制弁１９ｄが調整されてなる。
【００８４】
前記脱塩素手段１８及び１９は、それぞれ、バイパス流路１８ｃ及び１９ｃと流量規制弁１８ｄ及び１９ｄとを有してなるので、バイパス流路１８ｃ及び１９ｃにおける流量を規制することにより、脱塩素流路１８ｂ及び１９ｂにおける流量を調節することができる。
【００８５】
前記塩素除去フィルターとしては、例えば、活性炭、石、砂等により塩素を除去することができる濾過フィルター等を採用することができ、具体的には、従来公知の活性炭濾過フィルター、砂濾過フィルター等を採用することができる。
【００８６】
前記脱塩素手段１８及び１９を採用した本発明の給水装置においては、水中の塩素濃度を０．１〜０．４ｐｐｍの範囲内に調節することができるので、水中の菌の増殖を確実に防止することができる０．１ｐｐｍの塩素濃度を維持することができ、しかもカルキ臭が無くより美味しい水を供給することができる。
【００８７】
また、本発明においては、例えば、前記ビル用給水装置１における前記水供給先に通じる管２において、水道水原水及び／又は濾過水中の塩素を除去することができる硬水化手段（図示せず。）及び／又は軟水化手段（図示せず。）を配設することができる。
【００８８】
前記硬水化手段及び／又は軟水化手段は水の硬度を所望の値に調節することができ、前記硬水化手段は水中のカルシウムイオン及びマグネシウムイオンに由来する硬度を大きくすることができ、前記軟水化手段は前記硬度を小さくすることができる。
【００８９】
前記硬水化手段としては、従来公知の硬水化装置を採用することができ、前記軟水化手段としては、従来公知の軟水化装置を採用することができる。
【００９０】
本発明においては、前記硬水化手段及び／又は軟水化手段を配設した給水装置を採用することにより、例えば、水の硬度を１０〜２０度の範囲内に調節した後水供給先に水を供給することができる。
【００９１】
本発明においては、例えば、前記硬度が２０度を上回ることにより、生活用水、工業用水等に適していない硬水を、前記軟水化手段により軟化して、水供給先に生活用水、工業用水等に適した水を供給することができる。
【００９２】
【発明の効果】
本発明によれば、
（ａ）水供給先に安全で美味しい水を供給することができ、
（ｂ）水供給先において濾過フィルタ装置等を使用する必要がなく、
（ｃ）水供給先において濾過フィルタ装置の設置場所等が必要なく、
（ｄ）水供給先において濾過フィルタ装置等のメンテナンスをする必要がなく、
（ｅ）クロスフロー濾過方式による濾過手段を採用しないので、給水装置の構造をより簡単にすることができ、
（ｆ）給水装置の構造が簡単であるので漏水等の故障を防止することができ、
（ｇ）給水装置の構造が簡単であるので装置全体として省スペース化を実現することができ、
（ｈ）例えば全量濾過方式による濾過手段を採用することにより、濾過効率を高くすることができ、
（ｉ）濾過効率を向上させることにより、濾過手段をより小型化することができ、
（ｊ）水供給先において水を使用しているか使用していないかを判断し、水を使用していない場合に、その逆洗機能により濾過膜の洗浄を行なうことができ、
（ｋ）所望の時間帯に全自動で濾過膜の洗浄を行なうことができ、
（ｌ）例えば、従来のビル用給水装置等において圧力バッファーとして用いられているアキュムレータタンクを圧力供給源として、濾過膜の逆洗を行なうことができるので、既存のビル用給水装置等に組み込むことが容易な給水装置を提供することができ、
（ｍ）例えば午前３〜４時の水道水を使用する頻度が最も低い時間帯であって、且つ、各水供給先に水を供給していない場合に、濾過膜の逆洗を行なうことができる給水装置を提供することができる。
【図面の簡単な説明】
【図１】図１は、本発明の給水装置の一実施例を示す概略図である。
【図２】図２は、本発明の給水装置の他の一実施例を示す概略図である。
【図３】図３は、本発明の脱塩素装置を採用した給水装置の一実施例を示す概略図である。
【図４】図４は、本発明の脱塩素装置を採用した給水装置の他の一実施例を示す概略図である。
【符号の説明】
１・・・ビル用給水装置、２、２ａ、２ｂ・・・管、３・・・給水ポンプ、４・・・中空糸型フィルター、５・・・管開閉弁、６・・・アキュムレータタンク、６ａ・・・アキュムレータ分岐管、７・・・排出用分岐管、８・・・分岐管開閉弁、９・・・流量計、１０・・・シーケンサ、１１・・・圧力計、１２・・・逆止弁、１３・・・給水装置、１４・・・管、１５・・・中空糸型フィルター、１６・・・排水流路、１７・・・排水流路開閉弁、１８・・・脱塩素手段、１８ａ・・・塩素除去フィルター、１８ｂ・・・脱塩素流路、１８ｃ・・・バイパス流路、１８ｄ・・・流量規制弁、１９・・・脱塩素手段、１９ａ・・・塩素除去フィルター、１９ｂ・・・脱塩素流路、１９ｃ・・・バイパス流路、１９ｄ・・・流量規制弁。
【図１】
0003623076.tif 000002
【図２】
0003623076.tif 000003
【図３】
0003623076.tif 000004
【図４】
0003623076.tif 000005